(57)【要約】【課題】照明装置をスタンド等の照明用機材及び三脚等のカメラ用機材の双方に容易に設置でき、その設置作業を効率的に行うことができる照明装置接続用固定具及び照明装置を提供することを目的とする。【解決手段】本発明は、φ１７ダボと称される略円筒状に形成されたφ１７の挿入軸と、この挿入軸の一端側に同軸上に形成されたカメラねじ接続用の雌ねじ部とを備える照明装置接続用固定具である。カメラねじとしては、１／１４−２０ＵＮＣの規格のユニファイねじが適用される。【選択図】図５
2011146262.tif 000002
【特許請求の範囲】
【請求項１】
略円筒状に形成されたφ１７の挿入軸と；
この挿入軸の一端側に同軸上に形成されたカメラねじ接続用の雌ねじ部と；
を具備することを特徴とする照明装置接続用固定具。
【請求項２】
装置本体と；
この装置本体に設けられた請求項１に記載の照明装置接続用固定具と；
を具備することを特徴とする照明装置。
【発明の詳細な説明】
【技術分野】
【０００１】
本発明は、スタジオでの演出空間照明やスタジオ外でのロケーション撮影における照明に好適に使用できる照明装置接続用固定具及び照明装置に関する。
【背景技術】
【０００２】
舞台照明やＴＶスタジオ照明等の演出空間で使用する照明用機材、例えば、スポットライト等には、その本体を支持するアームにφ１７のダボと称される挿入軸が設けられている。また、このスポットライト等を所望の場所に設置するため、スポットライト等が支持されるスタンドや吊りハンガー等の照明用機材には、前記挿入軸が嵌合するφ１７の嵌合凹部が形成されている。したがって、前記挿入軸を嵌合凹部に嵌合し、固定することにより、スポットライト等は、所望の場所に設置できる（例えば、非特許文献１参照）。
このようなφ１７の挿入軸及び嵌合凹部による接続固定構造は、各社の照明用機材の互換性を担保するため、規格化され業界の標準となっている。
【０００３】
一方、撮影に用いられるカメラは、三脚等のカメラ用機材に設けられたカメラねじによって取付けられ、使用される。このカメラねじは、規格化されたユニファイねじであり、３／８−１６ＵＮＣ（インチ）や１／４−２０ＵＮＣ（インチ）が用いられている。
【０００４】
ところで、撮影現場においては、スポットライト等の照明用機材をスタンドや吊りハンガー、あるいは三脚に取付けて使用できるようにするのが便利である。したがって、この場合、スポットライト等を三脚に取付けるため、スポットライト等のアームを例えば、１／４−２０ＵＮＣ（インチ）のカメラねじが螺合できる専用のアームに交換したり、１／４−２０ＵＮＣ（インチ）のカメラねじが螺合できるアダプタを付加したりして対応していた。
【先行技術文献】
【非特許文献】
【０００５】
【非特許文献１】東芝ライテック／アートライティング／スポットライト［平成22年1月12日検索］、インターネット（http://www.tlt.co.jp/tlt/art/catalogue/spot/spot.htm）
【発明の概要】
【発明が解決しようとする課題】
【０００６】
しかしながら、上記のようにスポットライト等のアームを専用のアームに交換したり、アダプタを付加したりするのは、面倒であり、また、設置作業が効率的に行えないという不都合が生じる。
【０００７】
本発明は、上記課題に鑑みなされたもので、照明装置をスタンド等の照明用機材及び三脚等のカメラ用機材の双方に容易に設置でき、その設置作業を効率的に行うことができる照明装置接続用固定具及び照明装置を提供することを目的とする。
【課題を解決するための手段】
【０００８】
請求項１に記載の照明装置接続用固定具は、略円筒状に形成されたφ１７の挿入軸と；  この挿入軸の一端側に同軸上に形成されたカメラねじ接続用の雌ねじ部と；を具備することを特徴とする。
【０００９】
φ１７の挿入軸とは、φ１７ダボと称される規格化された接続用固定具を意味している。また、カメラねじは、例えば、規格化されている１／４−２０ＵＮＣ（インチ）のユニファイねじ等が適用されることを前提としている。
請求項２に記載の照明装置は、装置本体と；この装置本体に設けられた請求項１に記載の照明装置接続用固定具と；を具備することを特徴とする。
照明装置は、演出空間照明用のスポットライト等に適用するのが好ましい。
【発明の効果】
【００１０】
請求項１に記載の発明によれば、照明装置をスタンドや吊りハンガー等の照明用機材及び三脚等のカメラ用機材の双方に容易に設置することができ、撮影現場において、設置作業を効率的に行うことができる照明装置接続用固定具を提供できる。
請求項２に記載の照明装置によれば、前記照明装置接続用固定具の効果を奏する照明装置を提供することができる。
【図面の簡単な説明】
【００１１】
【図１】本発明の実施形態に係る照明装置としてのスポットライトを示す斜視図である。
【図２】同側面図である。
【図３】照明装置接続用固定具を示す正面図である。
【図４】スタンドにスポットライトを設置した状態を示す側面図である。
【図５】同要部を拡大して示す断面図である。
【図６】カメラ固定用の三脚を示す斜視図である。
【図７】同三脚にスポットライトを設置した状態で、その要部を拡大して示す断面図である。
【発明を実施するための形態】
【００１２】
以下、本発明の実施形態に係る照明装置について図１乃至図７を参照して説明する。なお、各図において同一部分には同一符号を付し重複した説明は省略する。
【００１３】
図１及び図２において、演出空間用の照明装置としてスポットライト１が示されている。スポットライト１は、内部にハロゲン電球等の光源を収容し、前面側が開口した円筒状の本体である灯体２と、この灯体２の前面側の開口に設けられたステンレス製メッシュ付ガラスフィルタ３と、このガラスフィルタ３の周囲に配設されたバンドア４と、前記灯体２の背面側に取付けられコ字状に折曲された支持アーム５とを備えている。
【００１４】
灯体２は、耐熱性の合成樹脂からなり、内部に光源が配設され、また、この光源から放射される光を前面側に反射する反射体が設けられている。なお、灯体２の下面側にはフォーカス調整ハンドル６が設けられている。このフォーカス調整ハンドル６を回転して調整することにより光源からの光の広がり具合を、拡散状態や集光状態に調整することができる。
また、ガラスフィルタ３は、ガラス破損時の破片の飛散防止のためステンレス製のセーフティメッシュが付加されている。
【００１５】
バンドア４は、ガラスフィルタ３の縁に回動可能に取付けられた上下の矩形状の羽根と、左右の先細状の羽根とからなっている。これら矩形状の羽根と先細状の羽根とを開閉してバンドア４の先端側の開口面積を調整し、光の照射範囲を可変できるようになっている。なお、４ａは、バンドア４を灯体２に取付けるための取付用摘みである。
【００１６】
支持アーム５は、灯体２を回動可能に支持しており、また、所望の位置で固定でき、光の照射方向を変更できるようになっている。この支持アーム５の略中央部には、接続用固定具７がねじ等の固定手段によって取付けられている。接続用固定具７は、スポットライト１をスタンドや吊りハンガー等の照明用機材に接続し固定するために用いるものであり、φ１７ダボと称され、規格に適合する寸法を有している。
【００１７】
図３に代表して示すように、接続用固定具７は、略円筒状の挿入軸７０であり、その径φは、１７ｍｍであり、長さ寸法Ｌは、４７ｍｍに形成されている。この挿入軸７０の一端側には、カメラねじ接続用の雌ねじ部７１が同軸上に形成されている。雌ねじ部７１には、カメラねじの規格であるユニファイねじ１／４−２０ＵＮＣ（インチ）が螺合できるようになっている。
【００１８】
また、挿入軸７０の中間部には、φ１０の小径の段部７２が形成されており、他端部には、鍔部７３が形成されている。段部７２には、後述するように、例えば、スタンドの固定ハンドルの軸が当接されて、挿入軸７０がスタンドに固定、すなわち、スポットライト１がスタンドに固定できるようになっている。
【００１９】
以上のような接続用固定具７を照明装置に設けることにより、照明装置をスタンドや吊りハンガー等の照明用機材及び三脚等のカメラ用機材の双方に容易に設置することができる。これを図４乃至図７を参照して説明する。
図４及び図５は、スタンド８にスポットライト１を設置する場合を示しており、図６及び図７は、三脚９にスポットライト１を設置する場合を示している。
【００２０】
図４に示すように、スタンド８は、伸縮パイプ８ａと、この伸縮パイプ８ａを支持する３本の脚パイプ８ｂとを備えている。伸縮パイプ８ａには、所望の長さ位置で固定するパイプ固定ハンドル８ｃが設けられており、脚パイプ８ｂの上端部には脚部固定ハンドル８ｄが設けられている。そして、伸縮パイプ８ａの上端部には、前記挿入軸７０が嵌合するダボ受けとしてφ１７の嵌合凹部８０が形成されている。
【００２１】
図５に示すように、嵌合凹部８０には、接続用固定具７の挿入軸７０が挿入されて嵌合するようになっている。この挿入軸７０の挿入後、器具固定ハンドル８１を時計方向に回動することにより、そのねじ軸８２の先端部が挿入軸７０の中間部の段部７２に当接し、挿入軸７０は、伸縮パイプ８ａに固定される。このようにスポットライト１は、スタンド８に固定され設置される。
【００２２】
次に、図６に示すように、カメラ固定用の三脚９は、上下動自在なセンターコラム９ａと、３本の伸縮可能な脚９ｂとを備えている。また、センターコラム９ａの上端部には、パン可動及びチルト可動できる雲台９ｃが設けられており、この雲台９ｃには、１／４−２０ＵＮＣ（インチ）の規格であるカメラねじ９０が取付けられている。したがって、雲台９ｃにカメラを取付ける場合には、カメラ側の雌ねじ部にカメラねじ９０を操作部９１を回動してねじ込むことにより、雲台９ｃにカメラが固定されるようになっている。
【００２３】
図７は、三脚９の雲台９ｃに上述のスポットライト１が設置されている状態を示している。スポットライト１の接続用固定具７は、ユニファイねじ１／４−２０ＵＮＣ（インチ）のカメラねじが螺合可能な雌ねじ部７１を有しているので、この雌ねじ部７１に三脚９のカメラねじ９０を操作部９１を回動してねじ込むことができる。これにより三脚９にスポットライト１を固定して設置することができる。
【００２４】
以上のように本実施形態によれば、照明装置としてのスポットライト１に電源を供給することにより、光源に通電され、光源からの光がガラスフィルタ３を透過して目的とする対象物に照射される。この場合、照明装置の設置に際して、照明装置をスタンドや吊りハンガー等の照明用機材及び三脚等のカメラ用機材の双方に容易に設置することができ、撮影現場において、設置作業を効率的に行うことができる。また、照明装置を所望の場所や位置に設置する自由度が広がり、照明の演出効果を高めることが可能となる。
【００２５】
なお、本発明は、上記各実施形態の構成に限定されることなく、発明の要旨を逸脱しない範囲で種々の変形が可能である。例えば、照明装置としては、バッテリによって電源が供給される方式のものであってもよい。また、照明装置は、スタンドや吊りハンガーの他、ロケーション撮影等に用いられる伸縮可能なポールの先端に設けられたカメラねじに取付けて使用することもできる。加えて、照明装置の光源としては、ＬＥＤ等の発光素子を用いるようにしてもよい。
【符号の説明】
【００２６】
１・・・照明装置（スポットライト）、２・・・装置本体（灯体）、
７・・・照明装置接続用固定具、７０・・・挿入軸、７１・・・雌ねじ部、
８０・・・嵌合凹部、９０・・・カメラねじ（１／１４−２０ＵＮＣ）
【図１】
2011146262.tif 000003
【図２】
2011146262.tif 000004
【図３】
2011146262.tif 000005
【図４】
2011146262.tif 000006
【図５】
2011146262.tif 000007
【図６】
2011146262.tif 000008
【図７】
2011146262.tif 000009